(57)【特許請求の範囲】
【請求項１】
光ディスクの最内周に記録される管理データと隣接するデータ領域の先頭アドレスからオーディオデータが連続的に記録されているか否かを判別する判別手段と、
上記判別手段の判別結果に応じて、上記光ディスクの最内周に記録される管理データの内容に関わらず上記データ領域の先頭アドレスにアクセスするアクセス手段と、
を備えることを特徴とする光ディスク装置。
【請求項２】
上記判別手段は、上記データ領域に記録されるデータ内の識別情報に基づいて判別することを特徴とする請求項１に記載の光ディスク装置。
【請求項３】
上記判別手段は、上記管理データにマルチセッションディスク識別データが含まれるときに、上記データ領域に記録されるデータ内の識別情報による判別を行うことを特徴とする請求項２に記載の光ディスク装置。
【請求項４】
上記判別手段は、上記管理データの異常状態を検出して上記判別を行うことを特徴とする請求項１に記載の光ディスク装置。
【請求項５】
上記判別手段は、上記光ディスクの最内周に記録される管理データに含まれる、他の管理データのアドレスを検出し、当該管理データのアドレスと上記他の管理データのアドレスに基づいて異常状態を検出することを特徴とする請求項４に記載の光ディスク装置。
【請求項６】
光ディスクの最内周に記録される管理データと隣接するデータ領域の先頭アドレスからオーディオデータが連続的に記録されているか否かを判別し、
上記判別結果に応じて、上記光ディスクの最内周に記録される管理データの内容に関わらず上記データ領域の先頭アドレスにアクセスしてオーディオデータを再生することを特徴とする再生方法。
【請求項７】
上記判別は、上記データ領域に記録されるデータ内の識別情報に基づいて行うことを特徴とする請求項６に記載の再生方法。
【請求項８】
上記管理データにマルチセッションディスク識別データが含まれるときに、上記データ領域に記録されるデータ内の識別情報による判別を行うことを特徴とする請求項７に記載の再生方法。
【請求項９】
上記判別は、上記管理データの異常状態を検出して行うことを特徴とする請求項６に記載の再生方法。
【請求項１０】
上記光ディスクの最内周に記録される管理データに含まれる、他の管理データのアドレスを検出し、当該管理データのアドレスと上記他の管理データのアドレスに基づいて、上記異常状態を検出することを特徴とする請求項９に記載の再生方法。
【請求項１１】
光ディスクの最内周に記録される管理データと隣接するデータ領域の先頭アドレスからオーディオデータが連続的に記録されているか否かを判別し、
上記判別結果に応じて、上記光ディスクの最内周に記録される管理データの内容に関わらず上記データ領域の先頭アドレスにアクセスしてオーディオデータを再生する動作を実行させるプログラム。
【請求項１２】
上記判別は、上記データ領域に記録されるデータ内の識別情報に基づいて行うことを特徴とする請求項１１に記載のプログラム。
【請求項１３】
上記管理データにマルチセッションディスク識別データが含まれるときに、上記データ領域に記録されるデータ内の識別情報による判別を行うことを特徴とする請求項１２に記載のプログラム。
【請求項１４】
上記判別は、上記管理データの異常状態を検出して行うことを特徴とする請求項１１に記載のプログラム。
【請求項１５】
上記光ディスクの最内周に記録される管理データに含まれる、他の管理データのアドレスを検出し、当該管理データのアドレスと上記他の管理データのアドレスに基づいて、上記異常状態を検出することを特徴とする請求項１４に記載のプログラム。
【請求項１６】
光ディスクの最内周に記録される管理データと隣接するデータ領域の先頭アドレスからオーディオデータが連続的に記録されているか否かを判別し、
上記判別結果に応じて、上記光ディスクの最内周に記録される管理データの内容に関わらず上記データ領域の先頭アドレスにアクセスしてオーディオデータを再生する動作を実行させるプログラムを記録した記録媒体。
【請求項１７】
上記プログラムは、上記判別を、上記データ領域に記録されるデータ内の識別情報に基づいて行うようにしていることを特徴とする請求項１６に記載の記録媒体。
【請求項１８】
上記プログラムは、上記管理データにマルチセッションディスク識別データが含まれるときに、上記データ領域に記録されるデータ内の識別情報による判別を行うようにしていることを特徴とする請求項１７に記載の記録媒体。
【請求項１９】
上記プログラムは、上記判別を、上記管理データの異常状態を検出して行うようにしていることを特徴とする請求項１６に記載の記録媒体。
【請求項２０】
上記プログラムは、上記光ディスクの最内周に記録される管理データに含まれる、他の管理データのアドレスを検出し、当該管理データのアドレスと上記他の管理データのアドレスに基づいて、上記異常状態を検出するようにしていることを特徴とする請求項１９に記載の記録媒体。
【発明の詳細な説明】
【０００１】
【発明の属する技術分野】
本発明は光ディスクに対する再生を行う光ディスク装置、再生方法、該再生方法を実現するプログラム、該プログラムを記録した記録媒体に関するものである。
【０００２】
【従来の技術】
例えば音楽用ＣＤ−ＤＡ（Compact Disc Digital Audio）やＤＶＤ（Digital Versatile Disc）等のディスクメディアに収録されて販売される楽曲等ついては、著作権者の許可がない限り、その複製は（私的複製を除いて）違法とされる。しかしながら近年、ＣＤ−Ｒ、ＣＤ−ＲＷ、ＤＶＤ−ＲＡＭ、ＤＶＤ−Ｒ、ＤＶＤ−ＲＷ、ＤＶＤ＋ＲＷなど、色素変化方式や相変化方式による書込可能ディスクが普及しており、ユーザサイドで複製が容易に可能とされる状況がある。
さらにパーソナルコンピュータ等に内蔵（又は接続）されるディスクドライブ装置、例えばＣＤ−ＲＯＭドライブやＤＶＤドライブでは、ＣＤ方式やＤＶＤ方式の各種ディスクに対応して記録再生が可能とされるとともに、例えば８倍速、１６倍速、４０倍速などの高速再生が可能とされている。
【０００３】
現在、オーディオ商品として販売されているＣＤプレーヤ等は、ＳＣＭＳと呼ばれる著作権保護機能が取り入れられており、通常は、１倍速再生での１回のコピーだけが許容されている。
しかしながらパーソナルコンピュータ内蔵又は周辺機器とされるディスクドライブ装置（ＣＤ−ＲＯＭドライブ）では、このような著作権保護機能が取り入れられておらず、事実上、無制限なコピーが可能となっている。
さらに近年では、パーソナルコンピュータに内蔵又は接続されるＣＤ−ＲＯＭドライブでは、ＣＤ−Ｒ、ＣＤ−ＲＷに対応して記録可能とされることも標準となっている。もちろん、ＤＶＤ、ＤＶＤ−Ｒ等に対応することもほぼ標準的である。
【０００４】
このため音楽用ＣＤ（ＣＤ−ＤＡ）等に記録されている楽曲データを、例えばパーソナルコンピュータを用いてハードディスクに取り込み、ＣＤ−Ｒ等のメディアに複製記録するといったことが、容易且つ短時間で行うことが可能な状況にある。
特に光ディスクに対する高速の記録再生によって短時間での複製が可能であることは、複製ディスクを販売する違法業者にとっても都合のよいものとなっており、著作権を無視したいわゆる海賊行為を増長してしまう。
【０００５】
このようなことから、音楽専用のプレーヤでは再生可能であるが、ＣＤ−ＲＯＭドライブでは再生できないようなディスクメディアが各種開発された。以下、このようなディスクメディアを説明上「著作権保護ディスク」と呼ぶ。
【０００６】
【発明が解決しようとする課題】
著作権保護ディスクは、上記の事情からＣＤ−ＲＯＭドライブでは再生できない（少なくとも著作権保護を必要とする音楽コンテンツは再生できない）ようにするものであるが、その一方で、場合によっては音楽専用のプレーヤであっても再生できなくなる場合が生ずる。
【０００７】
例えば近年、ＭＰ３（MPEG Audio Layer 3）ファイルのような形態で、ＣＤ−ＲＯＭフォーマットのディスクにおいて、オーディオデータを収録したものが知られており、ＣＤ−ＲＯＭドライブにおいて再生可能とされている。
このようなディスクについては音楽専用プレーヤ（ＣＤプレーヤ等）においても再生できるようにすることが求められているが、その場合、ＣＤプレーヤにＣＤ−ＲＯＭディスクのデコード機能を備えることが必要となる。換言すれば、ＣＤプレーヤの内部構成をＣＤ−ＲＯＭドライブとほぼ同様とする必要がある。これによって、ＭＰ３ファイルとしてのオーディオ再生が可能となる。
【０００８】
しかしながら、その場合、音楽専用のＣＤプレーヤで有りながら、著作権保護ディスクが再生できないものとなってしまう。
著作権保護ディスクは、ＣＤプレーヤとＣＤ−ＲＯＭドライブとの、ディスクに対する処理方式の差異を利用して、ＣＤ−ＲＯＭドライブでのみ再生できないようにするものである。
ところがＣＤ−ＲＯＭフォーマットのＭＰ３ファイル再生のためにはＣＤ−ＲＯＭドライブと同様の処理方式が必要である。
そして、ＣＤ−ＲＯＭドライブと同様の処理方式を行うと、もし著作権保護ディスクが装填された場合は、その処理方式のために再生不能となってしまう。
【０００９】
つまり、著作権保護ディスクであっても本来許可されるべき再生までもができない状態となってしまい、ユーザーの使用性を悪化させる。
【００１０】
【課題を解決するための手段】
そこで本発明は、オーディオ専用の光ディスク装置において、ＭＰ３ファイル等のＣＤ−ＲＯＭフォーマットの音楽データを再生でき、さらに著作権保護ディスクも再生できるようにして、ユーザーの使用性悪化を防止することを目的とする。
【００１１】
本発明の光ディスク装置は、光ディスクの最内周に記録される管理データと隣接するデータ領域の先頭アドレスからオーディオデータが連続的に記録されているか否かを判別する判別手段と、上記判別手段の判別結果に応じて、上記光ディスクの最内周に記録される管理データの内容に関わらず上記データ領域の先頭アドレスにアクセスするアクセス手段とを備える。
また、上記判別手段は、上記データ領域に記録されるデータ内の識別情報に基づいて判別する。
また上記判別手段は、上記管理データにマルチセッションディスク識別データが含まれるときに、上記データ領域に記録されるデータ内の識別情報による判別を行う。
また上記判別手段は、上記管理データの異常状態を検出して上記判別を行う。
この場合、上記判別手段は、上記光ディスクの最内周に記録される管理データに含まれる、他の管理データのアドレスを検出し、当該管理データのアドレスと上記他の管理データのアドレスに基づいて異常状態を検出する。
【００１２】
本発明の再生方法は、光ディスクの最内周に記録される管理データと隣接するデータ領域の先頭アドレスからオーディオデータが連続的に記録されているか否かを判別し、上記判別結果に応じて、上記光ディスクの最内周に記録される管理データの内容に関わらず上記データ領域の先頭アドレスにアクセスしてオーディオデータを再生する。
ここで上記判別は、上記データ領域に記録されるデータ内の識別情報に基づいて行う。
また、上記管理データにマルチセッションディスク識別データが含まれるときに、上記データ領域に記録されるデータ内の識別情報による判別を行う。
また上記判別は、上記管理データの異常状態を検出して行う。
また、上記異常状態は、上記光ディスクの最内周に記録される管理データに含まれる、他の管理データのアドレスを検出し、当該管理データのアドレスと上記他の管理データのアドレスに基づいて検出する。
【００１３】
また本発明のプログラムは、上記再生方法を実現するプログラムであり、また本発明の記録媒体は、本発明のプログラムを記録した記録媒体である。
【００１４】
例えばＣＤ方式のディスクは、元来ＣＤ−ＤＡ（CD-Digital Audio：音楽用ＣＤ）として開発されており、オーディオデータや、その再生のための管理情報としてのフォーマットが規定された。その後、ＣＤ方式のディスクとしてＣＤ−ＲＯＭ、ＣＤ−Ｉ、ビデオＣＤなどとして知られているディスクが開発され、またＣＤ−Ｒ、ＣＤ−ＲＷなどの記録可能なディスクも開発された。これら新たなディスクが開発される際には、それぞれデータ再生のための管理情報としてはＣＤ−ＤＡの管理情報（ＴＯＣ）フォーマットに準拠しながら、拡張的に規格化されたものとなった。
ここで、オーディオ専用の再生装置（ＣＤプレーヤ）では最低限ＣＤ−ＤＡのオーディオデータに関する管理情報を認識すれば良いため、一部の拡張的な管理情報には対応していない。
一方、コンピュータ用途のＣＤ−ＲＯＭドライブなど、各種ディスクに対応する再生装置では、各種の拡張的な管理情報も認識して対応処理が実行されるようにされている。
そして著作権保護ディスクの場合は、高速コピー等が可能なＣＤ−ＲＯＭドライブ等での再生を防止するために、上記のような管理情報に関する対応の差異を利用するものである。
【００１５】
このような状況において、音楽専用のＣＤプレーヤ等で拡張的な管理情報にも対応して例えばＭＰ３ファイル再生等を可能とし、しかも著作権保護ディスクも再生可能とするには、光ディスクの最内周に記録される管理データの内容に関わらずデータ領域の先頭アドレスにアクセスしてオーディオデータを再生するようにすればよい。
【００１６】
【発明の実施の形態】
以下、本発明の実施の形態となる光ディスク装置（再生装置）、再生方法について説明する。
なお、本実施の形態の光ディスク装置は、一般のＣＤプレーヤと同様の音楽専用再生装置であり、パーソナルコンピュータ等に接続されるいわゆるＣＤ−ＲＯＭドライブではない。説明上、本実施の形態の光ディスク装置を「オーディオプレーヤ」と呼ぶこととする。
説明は次の順序で行う。
１．オーディオプレーヤの構成
２．サブコード及びＴＯＣ
３．処理例［Ａ]
４．処理例［Ｂ]
５．処理例［Ｃ]
【００１７】
１．オーディオプレーヤの構成
本例のオーディオプレーヤは、基本的にはＣＤ−ＤＡ（又はオーディオデータが既に記録されているＣＤ−Ｒ、ＣＤ−ＲＷ）等のＣＤ方式のオーディオディスクを再生するＣＤプレーヤであるが、ＣＤ−ＲＯＭ技術を用いたＣＤ−ＲＯＭフォーマットのオーディオファイルをも再生可能とするものである。
ここでいうＣＤ−ＲＯＭ技術とは、
・マルチセッション構造のディスクのＴＯＣを読み取ることができる
・ＣＤ−ＲＯＭフォーマットの管理情報であるＳＶＤ（Secondary Volume Discripter）／ＰＶＤ(Primary Volume Discripter)の情報を読み取ることができる・ＣＤ−ＲＯＭフォーマットで記録された圧縮オーディオ（ＭＰ３等）を再生できる
ということを指す。
そしてあくまでも音楽再生専用装置であり、パーソナルコンピュータ等への高速リッピングなど、著作権侵害のおそれのある動作は実行できない装置である。つまり著作権保護ディスクにおいて再生が許可されるべき装置である。
本例においては、オーディオプレーヤの出力はラインアウト（或いはヘッドホンアウト）などのアナログ出力と、光デジタルオーディオ出力（１倍速出力）のみを可能とする。即ち従前のＣＤプレーヤと同様とする。
【００１８】
図１にオーディオプレーヤ１００の構成を示す。
図１のオーディオプレーヤ１００では、ディスク９０は、ターンテーブル７に積載され、再生時においてスピンドルモータ６によって一定線速度（ＣＬＶ）又は一定角速度（ＣＡＶ）で回転駆動される。
そして光学ピックアップ１によってディスク９０上のトラックに記録されたピットデータ（エンボスピット、色素変化ピット、相変化ピット）が読み取られる。
【００１９】
ピックアップ１内には、レーザ光源となるレーザダイオード４や、反射光を検出するためのフォトディテクタ５、レーザ光の出力端となる対物レンズ２、レーザ光を対物レンズ２を介してディスク１の信号面に照射し、またその反射光をフォトディテクタ５に導く光学系（図示せず）が形成される。またレーザダイオード４からの出力光の一部が受光されるモニタ用ディテクタ２２も設けられる。
【００２０】
対物レンズ２は二軸機構３によってトラッキング方向及びフォーカス方向に移動可能に保持されている。
またピックアップ１全体はスレッド機構８によりディスク半径方向に移動可能とされている。
またピックアップ１におけるレーザダイオード４はレーザドライバ１８からのドライブ信号（ドライブ電流）によってレーザ発光駆動される。
【００２１】
ディスク９０からの反射光情報はフォトディテクタ５によって検出され、受光光量に応じた電気信号とされてマトリクス回路９に供給される。
マトリクス回路９には、フォトディテクタ５としての複数の受光素子からの出力電流に対応して電流電圧変換回路、マトリクス演算／増幅回路等を備え、マトリクス演算処理により必要な信号を生成する。
例えば再生データ信号、サーボ制御のためのフォーカスエラー信号ＦＥ、トラッキングエラー信号ＴＥなどを生成する。
【００２２】
マトリクス回路９から出力される再生データ信号は２値化回路１１へ、フォーカスエラー信号ＦＥ、トラッキングエラー信号ＴＥはサーボ回路１４へ、それぞれ供給される。
マトリクス回路９で得られた再生データ信号は２値化回路１１で２値化されたうえで、デコード部１２に供給される。
デコード部１２は、デコード処理として、ＥＦＭ復調処理、エラー訂正処理、デインターリーブ等の処理を行い、再生オーディオデータを得る。
また、ＣＤ−ＲＯＭフォーマットに対応するデコード処理（ＣＤ−ＲＯＭデコード）も行う。例えばＣＤ−ＲＯＭフォーマットのＭＰ３ファイル再生時にはＣＤ−ＲＯＭデコードを行って再生オーディオデータを得る。
なおデコード部１２は、再生時には、ＰＬＬ処理により再生データ信号に同期した再生クロックを発生させ、その再生クロックに基づいて上記デコード処理を実行する。
【００２３】
デコード部１２でのデコード処理により、リニアＰＣＭオーディオデータが出力されるが、このリニアＰＣＭオーディオデータは、Ａ／Ｄ変換器２１でアナログ音声信号とされ、アナログ出力処理部３２で増幅その他の所要の処理が行われてアナログ出力信号Ａｏｕｔとして出力される。例えばライン出力、ヘッドホン出力とされる。
なお、スピーカ部を設け、スピーカから音声出力するようにしてもよい。
【００２４】
またデコードされた上記ＰＣＭオーディオデータは、デジタル出力処理部１５６で、デジタル伝送のための所要のフォーマティング処理が行われ、デジタル出力信号Ｄｏｕｔとして出力される。
以上のような再生動作は通常、１倍速再生のみが可能となる。
【００２５】
ＡＰＣ回路（Auto Power Control）１９は、再生時において、モニタ用ディテクタ２２の出力によりレーザ出力パワーをモニターしながらレーザーの出力が温度などによらず一定になるように制御する回路部である。レーザー出力の目標値はシステムコントローラ１０から与えられ、レーザダイオード４からのレーザ出力レベルが、その目標値になるようにレーザドライバ１８を制御する。
【００２６】
サーボ回路１４は、マトリクス回路９からのフォーカスエラー信号ＦＥ、トラッキングエラー信号ＴＥから、フォーカス、トラッキング、スレッドの各種サーボドライブ信号を生成しサーボ動作を実行させる。
即ちフォーカスエラー信号ＦＥ、トラッキングエラー信号ＴＥに応じてフォーカスドライブ信号ＦＤ、トラッキングドライブ信号ＴＤを生成し、二軸ドライバ１６に供給する。二軸ドライバ１６はピックアップ１における二軸機構３のフォーカスコイル、トラッキングコイルを駆動することになる。これによってピックアップ１、マトリクス回路９、サーボプロセッサ１４、二軸ドライバ１６、二軸機構３によるトラッキングサーボループ及びフォーカスサーボループが形成される。
【００２７】
またサーボ回路１４は、システムコントローラ１０からのトラックジャンプ指令に応じて、トラッキングサーボループをオフとし、二軸ドライバ１６に対してジャンプドライブ信号を出力することで、トラックジャンプ動作を実行させる。
【００２８】
またサーボ回路１４は、トラッキングエラー信号ＴＥの低域成分として得られるスレッドエラー信号や、システムコントローラ１０からのアクセス実行制御などに基づいてスレッドドライブ信号を生成し、スレッドドライバ１５に供給する。スレッドドライバ１５はスレッドドライブ信号に応じてスレッド機構８を駆動する。スレッド機構８には、図示しないが、ピックアップ１を保持するメインシャフト、スレッドモータ、伝達ギア等による機構を有し、スレッドドライバ１５がスレッドドライブ信号に応じてスレッドモータ８を駆動することで、ピックアップ１の所要のスライド移動が行なわれる。
【００２９】
スピンドルサーボ回路１３はスピンドルモータ６を例えばＣＬＶ回転させる制御を行う。
スピンドルサーボ回路１３は、再生時において、デコード部１２内のＰＬＬによって生成される再生クロック（デコード処理の基準となるクロック）を、現在のスピンドルモータ６の回転速度情報として得、これを所定のＣＬＶ基準速度情報と比較することでスピンドルエラー信号ＳＰＥを生成する。
そしてスピンドルサーボ回路１３は、スピンドルモータドライバ１７に対してスピンドルエラー信号ＳＰＥに応じて生成したスピンドルドライブ信号を供給する。スピンドルモータドライバ１７はスピンドルドライブ信号に応じて例えば３相駆動信号をスピンドルモータ６に印加し、スピンドルモータ６のＣＬＶ回転を実行させる。
またスピンドルサーボ回路１３は、システムコントローラ１０からのスピンドルキック／ブレーキ制御信号に応じてスピンドルドライブ信号を発生させ、スピンドルモータドライバ１７によるスピンドルモータ６の起動、停止、加速、減速などの動作も実行させる。
【００３０】
以上のようなサーボ系及び再生系の各種動作はマイクロコンピュータによって形成されたシステムコントローラ１０により制御される。
再生時にはデコード部１２で後述するサブコードＱデータとしての絶対アドレス、相対アドレスが読み出され、システムコントローラ１０はこれらのアドレス情報に基づいて動作制御を行う。
またディスクが装填された時点では、システムコントローラ１０はディスクからＴＯＣ情報を読み出すように各部を制御し、ＴＯＣ情報をデコード部１２から受け取って内部ＲＡＭに格納する。これによりシステムコントローラ１０はディスク９０に収録されているトラックの管理情報を得ることになる。
【００３１】
操作部１９は、ユーザーの操作のために操作キーやジョグダイヤルなど各種所要の操作子が用意されている。ユーザーは操作部１９の操作子により、再生、早送り、早戻し、頭出しサーチ、一時停止、停止などの操作を行う。これらの操作情報はシステムコントローラ１０に供給され、システムコントローラ１０は操作情報に基づいて所定の動作が実行されるように各部を制御する。
【００３２】
表示部２０は、再生、一時停止などの動作状態や、再生進行時間などの時間情報の表示を行う。システムコントローラ１０が動作状態に応じて表示データを表示部２０に供給して所要の表示を実行させる。
【００３３】
２．サブコード及びＴＯＣ
ＣＤフォーマットのディスクにおけるリードインエリアに記録されるＴＯＣ、及びサブコードについて説明する。
ＣＤ方式のディスクにおいて記録されるデータの最小単位は１フレームとなる。そして９８フレームで１ブロックが構成される。
【００３４】
１フレームの構造は図２のようになる。
１フレームは５８８ビットで構成され、先頭２４ビットが同期データ、続く１４ビットがサブコードデータエリアとされる。そして、その後にデータ及びパリティが配される。
【００３５】
この構成のフレームが９８フレームで１ブロックが構成され、９８個のフレームから取り出されたサブコードデータが集められて図３（ａ）のような１ブロックのサブコードデータ（サブコーディングフレーム）が形成される。
９８フレームの先頭の第１、第２のフレーム（フレーム９８ｎ＋１，フレーム９８ｎ＋２）からのサブコードデータは同期パターンとされている。そして、第３フレームから第９８フレーム（フレーム９８ｎ＋３〜フレーム９８ｎ＋９８）までで、各９６ビットのチャンネルデータ、即ちＰ，Ｑ，Ｒ，Ｓ，Ｔ，Ｕ，Ｖ，Ｗのサブコードデータが形成される。
【００３６】
このうち、アクセス等の管理のためにはＰチャンネルとＱチャンネルが用いられる。ただし、Ｐチャンネルはトラックとトラックの間のポーズ部分を示しているのみで、より細かい制御はＱチャンネル（Ｑ１〜Ｑ９６）によって行なわれる。９６ビットのＱチャンネルデータは図３（ｂ）のように構成される。
【００３７】
まずＱ１〜Ｑ４の４ビットはコントロールデータとされ、オーディオのチャンネル数、エンファシス、ＣＤ−ＲＯＭ、デジタルコピー可否の識別などに用いられる。即ち、当該４ビットにより、次の内容が示される。
００００：プリエンファシスなしの２チャンネルオーディオ
１０００：プリエンファシスなしの４チャンネルオーディオ
０００１：プリエンファシスつきの２チャンネルオーディオ
１００１：プリエンファシスつきの４チャンネルオーディオ
０１００：データトラック（ＣＤ−ＲＯＭ）
【００３８】
次にＱ５〜Ｑ８の４ビットはＡＤＲとされ、これはサブＱデータのモードを示すものとされている。
具体的にはＡＤＲの４ビットで以下のようにモード（サブＱデータ内容）が表現される。
００００：モード０・・・基本的にサブＱデータはオールゼロ（ＣＤ−ＲＷでは使用）
０００１：モード１・・・通常のモード
００１０：モード２・・・ディスクのカタログナンバを示す
００１１：モード３・・・ISRC（International Standard Recording Code）等を示す
０１００：モード４・・・ＣＤ−Ｖで使用
０１０１：モード５・・・ＣＤ−Ｒ、ＣＤ−ＲＷ、ＣＤ−ＥＸＴＲＡ等、マルチセッション系で使用
【００３９】
ＡＤＲに続くＱ９〜Ｑ８０の７２ビットは、サブＱデータとされ、残りのＱ８１〜Ｑ９６はＣＲＣとされる。
【００４０】
サブＱデータによってアドレスが表現されるのは、ＡＤＲによりモード１が示されている場合である。
ＡＤＲ＝モード１の場合のサブＱデータ及びＴＯＣ構造を図４、図５、図６で説明する。
ディスクのリードインエリアにおいては、そこに記録されているサブＱデータが即ちＴＯＣ情報となる。
リードインエリアから読み込まれたＱチャンネルデータにおけるＱ９〜Ｑ８０の７２ビットのサブＱデータは、図４（ａ）のような情報を有するものである。なお、この図４（ａ）は、リードインエリアにおける図３（ｂ）の構造に相当し、特に７２ビットのサブＱデータの部分を詳しく示したものである。
サブＱデータは各８ビットのデータを有し、ＴＯＣ情報を表現する。
【００４１】
まずＱ９〜Ｑ１６の８ビットでトラックナンバ（ＴＮＯ）が記録される。リードインエリアではトラックナンバは「００」に固定される。
続いてＱ１７〜Ｑ２４の８ビットでＰＯＩＮＴ（ポイント）が記される。
Ｑ２５〜Ｑ３２、Ｑ３３〜Ｑ４０、Ｑ４１〜Ｑ４８の各８ビットで、リードインエリア内の絶対時間としてＭＩＮ（分）、ＳＥＣ（秒）、ＦＲＡＭＥ（フレーム）が示される。
Ｑ４９〜Ｑ５６はＺＥＲＯ（＝「００００００００」）とされる。
さらに、Ｑ５７〜Ｑ６４、Ｑ６５〜Ｑ７２、Ｑ７３〜Ｑ８０の各８ビットで、ＰＭＩＮ，ＰＳＥＣ，ＰＦＲＡＭＥが記録されるが、このＰＭＩＮ，ＰＳＥＣ，ＰＦＲＡＭＥは、ＰＯＩＮＴの値によって意味が決められている。
【００４２】
図５にＡＤＲ＝「１」の場合とＡＤＲ＝「５」の場合の情報内容を示したが、ここではまずＡＤＲ＝「１」の場合（通常のモード）を注目する。
ＡＤＲ＝「１」の場合、ＰＯＩＮＴの値が「０１」〜「９９」のときは、そのＰＯＩＮＴの値はトラックナンバを意味し、この場合ＰＭＩＮ，ＰＳＥＣ，ＰＦＲＡＭＥにおいては、そのトラックナンバのトラックのスタートポイント（絶対時間アドレス）が分（ＰＭＩＮ），秒（ＰＳＥＣ），フレーム（ＰＦＲＡＭＥ）として記録されている。
【００４３】
ＰＯＩＮＴの値が「Ａ０」のときは、ＰＭＩＮに最初のトラックのトラックナンバが記録される。また、ＰＳＥＣの値によってセッションフォーマットが示され、ＣＤ−ＤＡ（デジタルオーディオ），ＣＤ−Ｉ，ＣＤ−ＲＯＭ（ＸＡ仕様）などの仕様の区別がなされる。
ＰＯＩＮＴの値が「Ａ１」のときは、ＰＭＩＮに最後のトラックのトラックナンバが記録される。
ＰＯＩＮＴの値が「Ａ２」のときは、ＰＭＩＮ，ＰＳＥＣ，ＰＦＲＡＭＥにリードアウトエリアのスタートポイントが絶対時間アドレス（分（ＰＭＩＮ），秒（ＰＳＥＣ），フレーム（ＰＦＲＡＭＥ））として示される。
【００４４】
通常のＣＤ−ＤＡでは、サブコードによるＴＯＣとしては、以上のようなＡＤＲ＝「１」の場合の情報しか記録されない。
そして例えば６トラックが記録されたディスクの場合、このようなサブＱデータによるＴＯＣとしては図６のようにデータが記録されていることになる。
即ちＴＯＣであるため、図示するようにトラックナンバＴＮＯは全て「００」である。
ブロックＮＯ．とは上記のように９８フレームによるブロックデータ（サブコーディングフレーム）として読み込まれた１単位のサブＱデータのナンバを示している。
各ＴＯＣデータはそれぞれ３ブロックにわたって同一内容が書かれている。
図示するようにＰＯＩＮＴが「０１」〜「０６」の場合、ＰＭＩＮ，ＰＳＥＣ，ＰＦＲＡＭＥとして第１トラック＃１〜第６トラック＃６のスタートポイントが示されている。
【００４５】
そしてＰＯＩＮＴが「Ａ０」の場合、ＰＭＩＮに最初のトラックナンバとして「０１」が示される。またＰＳＥＣの値によってディスクが識別され、通常のオーディオ用のＣＤの場合は「００」となる。なお、ディスクがＣＤ−ＲＯＭ（ＸＡ仕様）の場合はＰＳＥＣ＝「２０」、ＣＤ−Ｉの場合はＰＳＥＣ＝「１０」というように定義されている。
【００４６】
またＰＯＩＮＴの値が「Ａ１」の位置にＰＭＩＮに最後のトラックのトラックナンバが記録され、ＰＯＩＮＴの値が「Ａ２」の位置に、ＰＭＩＮ，ＰＳＥＣ，ＰＦＲＡＭＥにリードアウトエリアのスタートポイントが示される。
ブロックｎ＋２７以降は、ブロックｎ〜ｎ＋２６の内容が再び繰り返して記録されている。
【００４７】
なお、この図６の例はあくまで収録トラック数が６トラックであり、かつＰＯＩＮＴの値が「Ａ０」「Ａ１」「Ａ２」となるブロックが存在する通常のＣＤ−ＤＡの場合を示したにすぎない。
実際にはさらに、ＡＤＲ＝「１」以外、例えば図５に示すＡＤＲ＝「５」となるモードにおいて、ＰＯＩＮＴの各種値に応じた情報も設けられることもあり、また当然ＴＯＣで管理されるトラック数もディスクによって異なる。従って、ＴＯＣデータとしての一単位が、図６のように２７ブロックに固定されるものではない。
【００４８】
上述したようにＡＤＲ＝「５」は、マルチセッション系のディスクで用いられる情報として定義されている。
即ちマルチセッション系のディスクの場合、図５に示すＡＤＲ＝「５」とされる情報が、図６のようなＴＯＣ情報に加えられることになる。
【００４９】
マルチセッション系のディスクにおいて付加されるＡＤＲ＝「５」の場合の情報を図５で説明する。
ＡＤＲ＝「５」のモードでは、ＰＯＩＮＴ＝「Ｂ０」の場合、ＭＩＮ，ＳＥＣ，ＦＲＡＭＥとして次のセッションの始まる絶対時間アドレスが分／秒／フレームとして示される。またＰＭＩＮ，ＰＳＥＣ，ＰＦＲＡＭＥとして次のセッションのリードアウトが始まる絶対時間アドレスが分／秒／フレームとして示される。
【００５０】
ＡＤＲ＝「５」のモードにおける、ＰＯＩＮＴ＝「Ｃ０」は、マルチセッション系のディスクであることを示すＩＤコードとして機能する。この場合、ＭＩＮ，ＳＥＣ，ＦＲＡＭＥはすべて「００００００００」とされ、またＰＭＩＮ，ＰＳＥＣ，ＰＦＲＡＭＥには、固定値「９５ｈ」「００ｈ」「００ｈ」とされる。このようなＡＤＲ＝「５」のモードにおけるＰＯＩＮＴの値として「Ｂ０」「Ｃ０」とされる情報は、マルチセッション情報として機能することになる。
【００５１】
以上のようなマルチセッション情報の他に、ＡＤＲ＝「５」のモードでは、スキップ情報も定義されている。
スキップ情報とは、或るトラックもしくは区間（インターバル）の再生のスキップ（再生しないこと）を指示する指示情報である。
スキップ情報としては、ＡＤＲ＝「５」におけるＰＯＩＮＴの値として「Ｂ１」「Ｂ２」「Ｂ３」「Ｂ４」「０１」〜「４０」が定義されている。
【００５２】
ＰＯＩＮＴ＝「Ｂ１」の場合、ＰＭＩＮにスキップインターバルポインタ数が示される（最大４０）。またＰＳＥＣにスキップトラック数が示される（最大２１）。
ＰＯＩＮＴ＝「Ｂ２」「Ｂ３」「Ｂ４」は、ＭＩＮ、ＳＥＣ、ＦＲＡＭＥ、ＺＥＲＯ、ＰＭＩＮ、ＰＳＥＣ、ＰＦＲＡＭＥのそれぞれの領域が、スキップするトラックナンバを示す領域として使用される。
従って、最大２１トラックをスキップトラックとして指定することが可能である。ここで指定されたスキップトラックの数が、上記ＰＯＩＮＴ＝「Ｂ１」のＰＳＥＣに示される。
【００５３】
ＰＯＩＮＴ「０１」〜「４０」は、それぞれがスキップインターバルポインタとして機能する。
例えばＰＯＩＮＴ＝「０１」の場合は、第１のスキップ区間として、ＭＩＮ、ＳＥＣ、ＦＲＡＭＥにスキップ区間の終了位置の絶対時間アドレスが記録され、ＰＭＩＮ、ＰＳＥＣ、ＰＦＲＡＭＥにスキップ区間の開始位置の絶対時間アドレスが記録される。
スキップインターバルポインタとしてＰＯＩＮＴ「０１」〜「４０」が定義されることにより、最大４０個の各区間（インターバル）についてスキップ指定が可能となる。そしてこれによって指定されたスキップインターバルの数が、上記ＰＯＩＮＴ＝「Ｂ１」のＰＭＩＮに示される。
【００５４】
以上のようにディスクのリードイン領域にはサブコードによってＴＯＣデータが形成される。
【００５５】
一方、第１トラック〜第ｎトラックとして楽曲等が記録されているプログラム領域及びリードアウトエリアにおいては、そこに記録されているサブＱデータによって絶対時間アドレスや相対時間としての情報が記録される。
この場合のサブコードは図４（ｂ）の情報を有する。この図４（ｂ）は、プログラム領域及びリードアウトエリアにおける図３（ｂ）の構造に相当し、特に７２ビットのサブＱデータの部分を詳しく示したものである。
【００５６】
なお、Ｑ１〜Ｑ４のコントロールデータ、及びＱ５〜Ｑ８のＡＤＲは、上記リードインにおける場合と同様である。
従って、Ｑ１〜Ｑ４のコントロールデータは、各トラックについての、オーディオのチャンネル数、エンファシス、ＣＤ−ＲＯＭ、デジタルコピー可否の識別情報となる。
【００５７】
Ｑ９以降のデータとしては、この場合、まずＱ９〜Ｑ１６の８ビットでトラックナンバ（ＴＮＯ）が記録される。即ち各トラック＃１〜＃ｎでは『０１』〜『９９』のいづれかの値となる。またリードアウトエリアではトラックナンバは『ＡＡ』とされる。
続いてＱ１７〜Ｑ２４の８ビットでインデックスが記録される。インデックスは各トラックをさらに細分化することができる情報である。
【００５８】
Ｑ２５〜Ｑ３２、Ｑ３３〜Ｑ４０、Ｑ４１〜Ｑ４８の各８ビットで、トラック内の経過時間（相対アドレス／相対時間）としてＭＩＮ（分）、ＳＥＣ（秒）、ＦＲＡＭＥ（フレーム）が示される。
Ｑ４９〜Ｑ５６はＺＥＲＯ（＝「００００００００」）とされる。
Ｑ５７〜Ｑ６４、Ｑ６５〜Ｑ７２、Ｑ７３〜Ｑ８０の各８ビットはＡＭＩＮ，ＡＳＥＣ，ＡＦＲＡＭＥとされるが、これは絶対アドレス（絶対時間）としての分（ＡＭＩＮ），秒（ＡＳＥＣ），フレーム（ＡＦＲＡＭＥ）となる。
絶対アドレスとは、第１トラックの先頭（つまりプログラムエリアの先頭）からリードアウトエリアまで連続的に付されるアドレスとなる。
【００５９】
３．処理例［Ａ]
本例のオーディオプレーヤ１００は、ＣＤ−ＤＡ等のＣＤ方式のオーディオディスクの再生が可能であると共に、ＭＰ３ファイル等のＣＤ−ＲＯＭフォーマットのオーディオファイルについても再生可能とする。そしてさらに、ＣＤ−ＲＯＭドライブに対して再生不能とした著作権保護ディスクに対しても再生可能とするものである。このための処理例を、以下述べていく。
なお、著作権保護ディスクとしては、その再生禁止のための手法がいくつか知られており、ここではMedia CloQと呼ばれる方式の著作権保護ディスクに対応可能とする手法を処理例[Ａ]として説明する。
【００６０】
まず、Media CloQの方式について述べる。
図７（ａ）に著作権保護ディスクの領域例を示している。図示するように著作権保護ディスクは第１セッション、第２セッションを有するマルチセッションディスクとされる。
第１セッションは内周側からリードイン、プログラムエリア、リードアウトとされ、プログラムエリアには例えばトラック＃１〜＃ｎが記録される。
第２セッションも内周側からリードイン、プログラムエリア、リードアウトとされ、プログラムエリアには例えばトラック＃ｎ＋１が記録される。
【００６１】
ここで、第１セッションにおけるトラック＃１〜＃ｎは、通常のＣＤ方式のオーディオデータトラックであり、つまりｎ曲の音楽データが収録される。そしてこれらｎ曲の音楽データは、著作権保護を必要とするコンテンツである。
一方、第２セッションにおけるトラック＃ｎ＋１は、著作権保護を有する音楽コンテンツではない。例えば著作権フリーの音楽データ、テキストデータ、画像データなどであってＣＤ−ＲＯＭドライブで読み込んでパーソナルコンピュータ等において出力できるデータとしてもよいし、全く内容のないデータでもよい。そして第１セッションのリードインにおけるＴＯＣデータとしては、上述したＡＤＲ＝モード１の情報として、トラック＃１〜＃ｎの管理情報が記録されると共に、ＡＤＲ＝モード５の情報として、図５で説明した、マルチセッションＩＤや、次のセッションの始まる絶対時間情報などが記録されている。
【００６２】
通常のＣＤプレーヤでは、ＴＯＣデータにおいてＡＤＲ＝モード５の情報は認識しない。従って、当該ディスクをマルチセッションディスクとは認識しない。そして、ＡＤＲ＝モード１の情報としてのトラック＃１〜＃ｎの管理情報を認識して再生処理を行うため、図７（ｂ）に示すようにＴＯＣ読込に続いてトラック＃１〜＃ｎの再生を行うことができる。
一方、ＣＤ−ＲＯＭドライブでは、ＴＯＣデータにおけるマルチセッション情報を認識するため、当該ディスクをマルチセッションディスクとして処理する。マルチセッションディスクについては、外周側にＴＯＣを順次読み込んでいくことが規定されているため、ＣＤ−ＲＯＭドライブは、ＴＯＣデータに記録された次のセッションの始まる絶対時間情報に基づいてアクセスを行う。つまり図７（ｃ）に示すように、第２セッションのリードインにアクセスして、その管理情報の読込を行う。この場合、第２セッションのリードインにはトラック＃ｎ＋１の管理情報としてＳＶＤ／ＰＶＤが記録されているため、それに基づいてトラック＃ｎ＋１の再生が可能となる。
つまりＣＤ−ＲＯＭドライブにとっては、トラック＃ｎ＋１におけるデータのみを有効として再生することができ、第１セッションのトラック＃１〜＃ｎは再生できないものとなっている。
【００６３】
つまりこのような著作権保護ディスクでは、ＣＤ−ＲＯＭドライブがＴＯＣデータのＡＤＲ＝モード５の情報に対応することを利用して、著作権保護コンテンツの再生ができないようにしているものである。
一方、本例のオーディオプレーヤ１００を考えると、ＣＤ−ＲＯＭフォーマットのオーディオファイル（ＭＰ３ファイル等）を再生可能とするため、デコード部１２にＣＤ−ＲＯＭデコード機能を備え、またシステムコントローラ１０はＴＯＣデータのＡＤＲ＝モード５の情報も認識するようにされている。従ってそのままではＣＤ−ＲＯＭドライブの場合と同様に、第１セッションにおける著作権保護コンテンツであるトラック＃１〜＃ｎを再生することができない。
オーディオプレーヤ１００はパーソナルコンピュータ等へのリッピング等に使用されるものではなく、著作権保護ディスクについても正常再生が許可されるべきものであるため、著作権保護ディスクを再生できないことはユーザーの使用性を阻害するものとなる。
そこで本例のオーディオプレーヤ１００は、図８のような処理を行うことで著作権保護ディスクについても正常再生できるようにする。
【００６４】
図８はオーディオプレーヤ１００にディスク９０が装填された際のシステムコントローラ１０による制御処理を示している。
ディスク９０が装填された場合は、システムコントローラ１０はステップＦ１０１として、サーボ回路１４，スピンドルサーボ回路１３，デコード部１２に対して再生動作を指示し、ピックアップ１をディスクの最内周側リードインエリアにアクセスさせてディスク９０におけるＴＯＣデータを再生させる。システムコントローラ１０はデコード部１２からリードインエリアにおけるサブコードとしてＴＯＣデータを受け取ることになる。
【００６５】
ＴＯＣデータを読み込んだら、システムコントローラ１０はステップＦ１０２でＴＯＣデータとして記録されている先頭トラックの情報を判別し、先頭トラック、つまりディスク９０のリードインエリアに続くプログラムエリアの先頭から記録されているデータの種別を確認する。具体的には、プログラムエリアの先頭トラックとしてＣＤ−ＲＯＭフォーマットのデータが記録されているか否かを判別する。
この判別には、図４（ａ）に示したサブコードＱ１〜Ｑ４のコントロールデータを参照し、その値が「データトラック（ＣＤ−ＲＯＭ）」を示しているか、或いは「オーディオデータ」を示しているかを確認すればよい。
なお図５に示したＡＤＲ＝モード１におけるＰＯＩＮＴ「Ａ０」の「ＰＳＥＣ」の値であるセッションフォーマットを確認してもよい。
【００６６】
上記値が「オーディオデータ」を示す値であることが確認された場合は、ステップＦ１０３に進んで、当該装填されたディスクはＣＤ−ＤＡ（或いは既に音楽データが記録されたＣＤ−Ｒ等）であると判別し、先頭トラックからの再生動作に移行する。
【００６７】
一方、ステップＦ１０２で「データトラック（ＣＤ−ＲＯＭ）」と判別された場合は、ステップＦ１０４でマルチセッションディスクであるか否かを確認する。即ち図５で説明した、ＡＤＲ＝モード５としてのＰＯＩＮＴ「Ｂ０」「Ｃ０」のマルチセッション情報を確認すればよい。
マルチセッション情報が存在せず、シングルセッションディスクであると判別された場合は、ステップＦ１１０に進み、当該装填されたディスクはＣＤ−ＲＯＭであると判断する。
ＣＤ−ＲＯＭの場合、システムコントローラ１０は、ＳＶＤ／ＰＶＤを再生させてそれを解析し、ファイル構造を把握する。
そしてステップＦ１１１に進み、再生できる有効ファイルが存在するか否かを判別する。本例のオーディオプレーヤは、ＣＤ−ＲＯＭフォーマットにおけるＭＰ３ファイルなどのオーディオファイルを再生できるものである。従って、オーディオファイルが存在するか否かを確認するものとなる。
当該ＣＤ−ＲＯＭディスクにオーディオファイルが収録されていない場合は、再生有効ファイル無しとして、ステップＦ１１２に進み、例えば表示部２０に「ＮＯ  ＦＩＬＥ」を表示してユーザーに告知し、再生処理を終了する。例えばオーディオプレーヤ１００は対応していないディスクであるとしてディスク排出を行うようにしてもよい。
一方、ＭＰ３ファイルなどの再生可能なオーディオファイルが収録されていた場合は、ステップＦ１１３に進みＭＰ３ファイルの再生処理に進む。
【００６８】
ステップＦ１０４でマルチセッションディスクと判別された場合は、装填されたディスク９０がＣＤ−ＲＯＭディスクとしてのマルチセッションディスクである場合と、著作権保護ディスクである場合が考えられる。
このため、ステップＦ１０５で先頭トラックにアクセスし、ステップＦ１０６で先頭トラックを再生してサブコードデータを確認する。
ディスク９０がＣＤ−ＲＯＭディスクであった場合は、先頭トラックにおけるサブコードデータにおいて、図４（ｂ）に示したＱ１〜Ｑ４のコントロールデータは「データトラック（ＣＤ−ＲＯＭ）」を示す値になっているはずである。
【００６９】
このように先頭トラックにおいてもサブコードから「データトラック（ＣＤ−ＲＯＭ）」を示す値が検出された場合は、本来のＣＤ−ＲＯＭディスクとしてのマルチセッションディスクであると判別できる。
そこでステップＦ１０８に進み、ＴＯＣデータに記載された次のセッションの絶対時間（絶対アドレス）に基づいて、第２セッションのリードインにアクセスする。なお、第２セッションも最終セッションでない場合は、第２セッションのリードインにおけるＴＯＣデータとして、次のセッションの絶対時間（絶対アドレス）が記録されているため、次のセッションのリードインエリアにアクセスする。即ち有効最終セッションのリードインエリアまで順次アクセスを進める。
【００７０】
有効最終セッションに到達したら、システムコントローラ１０は、ＳＶＤ／ＰＶＤを再生させてそれを解析し、ファイル構造を把握する。
そしてステップＦ１１１に進み、再生できる有効ファイルが存在するか否かを判別する。即ちオーディオファイルが存在するか否かを確認する。
当該ＣＤ−ＲＯＭディスクにオーディオファイルが収録されていない場合は、再生有効ファイル無しとして、ステップＦ１１２に進み、例えば表示部２０に「ＮＯ  ＦＩＬＥ」を表示してユーザーに告知し、再生処理を終了する。
またＭＰ３ファイルなどの再生可能なオーディオファイルが収録されていた場合は、ステップＦ１１３に進み当該最終セッションにおいてＭＰ３ファイルの再生処理に進む。
【００７１】
著作権保護ディスクの場合は、上述したように第１セッションにオーディオデータとしての本来有効なトラック＃１〜＃ｎが記録されているが、ＴＯＣデータにおいてマルチセッションディスクであることを示すようにし、ディスクドライブ装置による再生の際には第２セッションにアクセスさせることで、第１セッションのトラック＃１〜＃ｎを再生できないようにするものである。
ここで、ステップＦ１０５で第１セッションの先頭トラックにアクセスし、ステップＦ１０６でサブコードデータを確認すると、先頭トラック（トラック＃１）はオーディオデータトラックであるため、サブコードＱ１〜Ｑ４のコントロールデータは「オーディオデータ」を示す値となっている。つまり、ＴＯＣデータが記録されたリードインエリアに連続して、隣接するプログラムエリアにオーディオデータが記録されていることが判別される。
【００７２】
この場合、システムコントローラ１０はステップＦ１０７に進み、装填されたディスクは著作権保護ディスクであると判別する。そしてこれはＣＤ−ＤＡと同様の方式でオーディオトラックが収録されているものであるため、ＴＯＣデータにおけるマルチセッション情報を無視して、第１セッションの先頭トラック（トラック＃１）からの再生処理に移る。
【００７３】
以上のような処理が行われることで、オーディオプレーヤ１００による再生動作は図７（ｄ）〜（ｇ）に模式的に示すようになる。
まずシングルセッションのＣＤ−ＤＡ、つまり通常の音楽ＣＤが装填された場合（図７（ａ）に示した第２セッションが存在しないディスク）は、ステップＦ１０３において図７（ｄ）のように、ＴＯＣデータに基づいてプログラムエリアに記録されているトラック＃１〜＃ｎの再生が行われる。
【００７４】
また図７（ｅ）に示すように、シングルセッションのＣＤ−ＲＯＭディスク（図７（ａ）に示した第２セッションが存在しないディスク）が装填された場合は、ＭＰ３ファイルが収録されていれば、ステップＦ１１０→Ｆ１１１→Ｆ１１３の処理で、プログラムエリアに記録されているＭＰ３ファイルが再生される。
また、ＭＰ３ファイル等の再生可能なオーディオファイルが収録されていなければステップＦ１１０→Ｆ１１１→Ｆ１１２の処理で再生は実行されない。
【００７５】
また図７（ｆ）に示すように、マルチセッションのＣＤ−ＲＯＭディスクが装填された場合は、最終セッションにおいてＭＰ３ファイルが収録されていれば、ステップＦ１０８→Ｆ１０９→Ｆ１１１→Ｆ１１３の処理で、最終セッションのプログラムエリアに記録されているＭＰ３ファイルが再生される。
また、最終セッションにＭＰ３ファイル等の再生可能なオーディオファイルが収録されていなければステップＦ１０８→Ｆ１０９→Ｆ１１１→Ｆ１１２の処理で再生は実行されない。
【００７６】
図７（ａ）で説明した著作権保護ディスクが装填された場合、ステップＦ１０５，Ｆ１０６で著作権保護ディスクであることが判別できる。つまり図７（ｇ）に示すように、先頭トラックにアクセスしてサブコードデータを確認し、著作権保護ディスクであることを判別したら、ステップＦ１０７で第１セッションのプログラムエリアにおけるオーディオトラック（ＣＤフォーマットのデータ）の再生が実行される。
【００７７】
以上のことからわかるように本例のオーディオプレーヤ１００によれば、ＣＤ−ＤＡディスクだけでなく、ＣＤ−ＲＯＭフォーマットのオーディオファイルが記録されたＣＤ−ＲＯＭディスクに対応して、音楽再生を行うことができ、しかも、著作権保護ディスクについても正常に再生できることになる。
これによって、ユーザーの使用性を向上させることができる。
【００７８】
４．処理例［Ｂ]
著作権保護ディスクとしては、上記Media CloQ以外にも、Key2Audioと呼ばれる方式も知られている。このKey2Audio方式に対応する処理例［Ｂ］を述べる。
まず、Key2Audio方式を図９で説明する。
図９（ａ）に著作権保護ディスクの領域例を示している。図示するようにこの場合も、著作権保護ディスクは第１セッション、第２セッションを有するマルチセッションディスクとされる。但し、論理的にＴＯＣデータ上でマルチセッションディスクとされるものであればよく、第２セッションは実際には形成されないものであってもよい。
第１セッションは内周側からリードイン、プログラムエリア、リードアウトとされ、プログラムエリアには例えばトラック＃１〜＃ｎが記録される。
この第１セッションにおけるトラック＃１〜＃ｎは、通常のＣＤ方式のオーディオデータトラックであり、つまりｎ曲の音楽データが収録される。そしてこれらｎ曲の音楽データは、著作権保護を必要とするコンテンツである。
【００７９】
第２セッションは、実際に設けられる場合は、内周側からリードイン、プログラムエリア、リードアウトとされる。プログラムエリアには例えばトラック＃ｎ＋１が記録される。但しトラック＃ｎ＋１として実際に有効なデータが記録される必要はない。
【００８０】
そして第１セッションのリードインにおけるＴＯＣデータとしては、上述したＡＤＲ＝モード１の情報として、トラック＃１〜＃ｎの管理情報が記録されると共に、ＡＤＲ＝モード５の情報として、図５で説明した、マルチセッションＩＤや、次のセッションの始まる絶対時間情報などが記録されている。
ここで、図５に示したように、ＡＤＲ＝モード５でＰＯＩＮＴ「Ｂ０」においては、次のセッションの開始位置が絶対時間アドレスとして示されるものであるが、この場合、この値が異常な値とされている。具体的には、本体第２セッションのリードインエリアのアドレスが記録されているべきところ、第１セッションのリードインエリアの開始アドレス、或いはその近辺のアドレスが記録されている。
【００８１】
通常のＣＤプレーヤでは、ＴＯＣデータにおいてＡＤＲ＝モード５の情報は認識しない。従って、当該ディスクをマルチセッションディスクとは認識しない。そして、ＡＤＲ＝モード１の情報としてのトラック＃１〜＃ｎの管理情報を認識して再生処理を行うため、図９（ｂ）に示すようにＴＯＣ読込に続いてトラック＃１〜＃ｎの再生を行うことができる。
【００８２】
一方、ＣＤ−ＲＯＭドライブでは、ＴＯＣデータにおけるマルチセッション情報を認識するため、当該ディスクをマルチセッションディスクとして処理する。マルチセッションディスクについては、外周側にＴＯＣを順次読み込んでいくことが規定されているため、ＣＤ−ＲＯＭドライブは、ＴＯＣデータに記録された次のセッションの始まる絶対時間情報に基づいてアクセスを行う。
ところが、この場合、次のセッションの始まる絶対時間情報が異常な値とされており、結果として図９（ｃ）に示すように、第１セッションのリードインエリアにアクセスしてしまうことになる。
そしてその場合、リードインエリアのＴＯＣデータには、次のセッションの開始位置が記録されているため、再びアクセスを行う。つまり、第１セッションのリードインエリアに対するアクセスを無限に繰り返す状態とされる。
従ってＣＤ−ＲＯＭドライブにとっては、いつまでも最終セッションの到達できない状況となり、ある時点でタイムアウトエラーとなるため、第１セッションのトラック＃１〜＃ｎは再生できないものとなっている。
【００８３】
つまりこの場合も、著作権保護ディスクでは、ＣＤ−ＲＯＭドライブがＴＯＣデータのＡＤＲ＝モード５の情報に対応することを利用して、著作権保護コンテンツの再生ができないようにしているものである。
【００８４】
このような著作権保護ディスクと、ＣＤ−ＤＡ、及びオーディオファイルを収録したＣＤ−ＲＯＭを再生できるようにするための本例のオーディオプレーヤ１００の処理（処理例［Ｂ］）を図１０に示す。
【００８５】
図１０は、上記図８と同様にオーディオプレーヤ１００にディスク９０が装填された際のシステムコントローラ１０による制御処理を示している。
なお、図１０のステップＦ２０１〜Ｆ２０４、Ｆ２０８〜Ｆ２１３は、図８のステップＦ１０１〜Ｆ１０４、Ｆ１０８〜Ｆ１１３と同様であるため、詳しい説明は省略する。
【００８６】
ディスク９０が装填された場合は、システムコントローラ１０はステップＦ２０１で最内周のリードインエリアのＴＯＣデータを読み込む。そして先頭トラックの情報、つまり図４（ａ）に示したサブコードＱ１〜Ｑ４のコントロールデータの値が「データトラック（ＣＤ−ＲＯＭ）」を示しているか、或いは「オーディオデータ」かを判別する。そして「オーディオデータ」であることが確認された場合は、ステップＦ２０３に進んで、当該装填されたディスクはＣＤ−ＤＡ（或いは既に音楽データが記録されたＣＤ−Ｒ等）であると判別し、先頭トラックからの再生動作に移行する。
【００８７】
ステップＦ２０２で「データトラック（ＣＤ−ＲＯＭ）」と判別された場合は、ステップＦ２０４で、ＴＯＣデータのＡＤＲ＝モード５としてのＰＯＩＮＴ「Ｂ０」「Ｃ０」のマルチセッション情報を確認し、マルチセッションディスクであるか否かを確認する。
マルチセッション情報が存在せず、シングルセッションディスクであると判別された場合は、ステップＦ２１０に進み、当該装填されたディスクはＣＤ−ＲＯＭであると判断する。
その場合、図８で説明した処理と同様に、ステップＦ２１０→Ｆ２１１→Ｆ２１３と処理を進めてＭＰ３等のオーディオファイルの再生を行うか、或いはステップＦ２１０→Ｆ２１１→Ｆ２１２と処理を進めて非対応ディスクとして再生処理を終了する。
【００８８】
ステップＦ２０４でマルチセッションディスクと判別された場合は、装填されたディスク９０がＣＤ−ＲＯＭディスクとしてのマルチセッションディスクである場合と、著作権保護ディスクである場合が考えられる。
この場合、ステップＦ２０５、Ｆ２０６では、ＴＯＣにおけるマルチセッション情報の異常判別を行う。
上記のように、著作権保護ディスクの場合、次のセッションの開始位置アドレス（絶対時間）が、現セッションのリードインエリア（又はその近辺）のアドレスとされて、無限アクセスを実行させるようにしている。
そこでステップＦ２０５では、当該読み込んだＴＯＣデータにおいて、ＡＤＲ＝モード５でＰＯＩＮＴ「Ｂ０」に示されている、次のセッションの開始位置としての絶対時間アドレスと、現在のリードインエリアの開始位置としての絶対時間アドレスを比較する。具体的には、両アドレス値の現在を行ってアドレス差を検出する。
そしてステップＦ２０６では、アドレス差に基づいて異常データか否かを判別する。上記減算により、アドレス差としての「分：秒：フレーム」の値が算出されるが、本来であれば、このアドレス差は或る程度大きいものとなるはずである。逆に、このアドレス差が非常に小さければ、ＡＤＲ＝モード５でＰＯＩＮＴ「Ｂ０」に示されている、次のセッションの開始位置は異常な値であると判断できる。即ち無限繰り返しアクセスを実行させること目的として現在のリードインエリアのアドレスを示していると判別できる。
例えばアドレス差が３０秒（「０分３０秒０フレーム」）以内であった場合を異常値であると判断すればよい。なお、この「３０秒」とは一例であり、他の値としてもよい。
【００８９】
アドレス差が３０秒以内ではなく、データ異常でないと判断した場合は、ステップＦ２０８に進み、ＴＯＣデータに記載された次のセッションの絶対時間（絶対アドレス）に基づいて、次のセッションのリードインにアクセスする。また第２セッションも最終セッションでない場合は、更に次のセッションのリードインエリアにアクセスし、有効最終セッションのリードインエリアまでアクセスを進める。
そして図８で説明した処理と同様に、ステップＦ２０９→Ｆ２１１→Ｆ２１３と処理を進めて最終セッションでＭＰ３等のオーディオファイルの再生を行うか、或いはステップＦ２０９→Ｆ２１１→Ｆ２１２と処理を進めて非対応ディスクとして再生処理を終了する。
【００９０】
アドレス差が３０秒以内であってステップＦ２０６でデータ異常と判断された場合は、ステップＦ２０７に進み、装填されたディスクは著作権保護ディスクであると判別する。つまりこれは、ＣＤ−ＤＡと同様の方式で、ＴＯＣデータが記録されたリードインエリアに隣接するプログラムエリアに、オーディオトラックが収録されているものである。このためＴＯＣデータにおけるマルチセッション情報を無視して、第１セッションの先頭トラック（トラック＃１）からの再生処理に移る。
【００９１】
以上のような処理が行われることで、オーディオプレーヤ１００による再生動作は図９（ｄ）〜（ｇ）に模式的に示すようになる。
シングルセッションのＣＤ−ＤＡ、つまり通常の音楽ＣＤが装填された場合（図９（ａ）に示した第２セッションが存在しないディスク）は、ステップＦ２０３において図９（ｄ）のように、ＴＯＣデータに基づいてプログラムエリアに記録されているトラック＃１〜＃ｎの再生が行われる。
【００９２】
また図９（ｅ）に示すように、シングルセッションのＣＤ−ＲＯＭディスク（図９（ａ）に示した第２セッションが存在しないディスク）が装填された場合は、ＭＰ３ファイルが収録されていれば、ステップＦ２１０→Ｆ２１１→Ｆ２１３の処理で、プログラムエリアに記録されているＭＰ３ファイルが再生される。
また、ＭＰ３ファイル等の再生可能なオーディオファイルが収録されていなければステップＦ２１０→Ｆ２１１→Ｆ２１２の処理で再生は実行されない。
【００９３】
また図９（ｆ）に示すように、マルチセッションのＣＤ−ＲＯＭディスクが装填された場合は、最終セッションにおいてＭＰ３ファイルが収録されていれば、ステップＦ２０８→Ｆ２０９→Ｆ２１１→Ｆ２１３の処理で、最終セッションのプログラムエリアに記録されているＭＰ３ファイルが再生される。
また、最終セッションにＭＰ３ファイル等の再生可能なオーディオファイルが収録されていなければステップＦ２０８→Ｆ２０９→Ｆ２１１→Ｆ２１２の処理で再生は実行されない。
【００９４】
図９（ａ）で説明した著作権保護ディスクが装填された場合、ステップＦ２０５，Ｆ２０６で著作権保護ディスクであることが判別できる。その場合はステップＦ２０７の処理により、図９（ｇ）に示すように、第１セッションのプログラムエリアにおけるオーディオトラック（ＣＤフォーマットのデータ）の再生が実行される。
【００９５】
以上のことからわかるように本例のオーディオプレーヤ１００によれば、ＣＤ−ＤＡディスクだけでなく、ＣＤ−ＲＯＭフォーマットのオーディオファイルが記録されたＣＤ−ＲＯＭディスクに対応して、音楽再生を行うことができ、しかも、著作権保護ディスクについても正常に再生できることになる。
これによって、ユーザーの使用性を向上させることができる。
【００９６】
ところで、当該処理例［Ｂ］の変形例として、上記処理例［Ａ］のステップＦ１０５，Ｆ１０６の処理が行われるようにしてもよい。
即ち、ステップＦ２０６では例えばアドレス差が３０秒以内である場合にデータ異常と判断しているが、アドレス差が３０秒以内であったら、著作権保護ディスクの可能性がある、とまでの判断にとどめるようにし、その時点で図８のステップＦ１０５，Ｆ１０６の処理を行って、実際に先頭トラックのサブコードデータを確認する。そして、先頭トラックにおけるサブコードデータにおいて、Ｑ１〜Ｑ４のコントロールデータが「オーディオデータ」を示す値になっていたら、確かに著作権保護ディスクであると判断して、ステップＦ２０７に進む。一方、先頭トラックにおけるサブコードデータにおいて、Ｑ１〜Ｑ４のコントロールデータが「データトラック（ＣＤ−ＲＯＭ）」を示す値であったら、ＣＤ−ＲＯＭディスクと判断してステップＦ２０８に進むようにする例である。
【００９７】
５．処理例［Ｃ]
上記処理例［Ａ］［Ｂ］は、Media CloQやKey2Audioのように、ディスクドライブ装置がマルチセッション情報に対応することを利用した著作権保護ディスクを再生できるようにしたものであるが、他にもパーソナルコンピュータ等へのリッピングを防止するためにディスクドライブ装置で再生不能とする方式が存在する。その場合、シングルセッションディスクとしての著作権保護ディスクも考えられる。
【００９８】
処理例［Ｃ］は、上記のようにマルチセッションディスクとしての著作権保護ディスクにも対応でき、さらにシングルセッションディスクとしての著作権保護ディスクにも対応できるようにする例である。
図１１に、上記図８、図１０と同様にオーディオプレーヤ１００にディスク９０が装填された際のシステムコントローラ１０による制御処理を示している。
【００９９】
ディスク９０が装填された場合は、システムコントローラ１０はステップＦ３０１で最内周のリードインエリアのＴＯＣデータを読み込む。
続いて、ステップＦ３０２で第１セッションの先頭トラックにアクセスし、ステップＦ３０３でサブコードデータを確認する。
ここで先頭トラック（トラック＃１）がオーディオデータトラックであれば、サブコードＱ１〜Ｑ４のコントロールデータは「オーディオデータ」を示す値となっている。
その場合は、システムコントローラ１０はステップＦ３０４に進み、装填されたディスクは通常のＣＤ−ＤＡ、又は著作権保護ディスクのいずれかであると判別する。いずれの場合もリードインエリアに隣接するプログラムエリアにおいて、ＣＤ−ＤＡの方式でオーディオトラックが収録されているものであるため、第１セッションの先頭トラック（トラック＃１）からの再生処理に移る。
【０１００】
もし先頭トラックのサブコードＱ１〜Ｑ４のコントロールデータの値が「データトラック（ＣＤ−ＲＯＭ）」であった場合は、装填されたディスクはＣＤ−ＲＯＭディスクと判断する。
その場合はステップＦ３０５でＴＯＣデータよりマルチセッションディスクであるか否かを判別する。そして、シングルセッションであればステップＦ３０８，Ｆ３０９，Ｆ３１０，Ｆ３１１の処理（図８のステップＦ１１０，Ｆ１１１，Ｆ１１２，Ｆ１１３と同様の処理）でオーディオファイルの再生又は「ＮＯ  ＦＩＬＥ」で終了する。
またマルチセッションディスクであれば、ステップＦ３０６，Ｆ３０７，Ｆ３０９，Ｆ３１０，Ｆ３１１の処理（図８のステップＦ１０８、Ｆ１０９，Ｆ１１１，Ｆ１１２，Ｆ１１３と同様の処理）でオーディオファイルの再生又は「ＮＯＦＩＬＥ」で終了する。
【０１０１】
つまり、この処理例［Ｃ］は、まず最初に先頭トラックのサブコードを確認してＣＤ−ＤＡ方式のオーディオデータトラックが記録されているか否かを確認してしまう。そしてオーディオデータトラックが記録されていれば、オーディオデータトラックの再生を行う。一方、先頭トラックがデータトラックであれば、ＣＤ−ＲＯＭディスクと判断して、オーディオファイルが記録されていればその再生を行う。
これにより、本例のオーディオプレーヤ１００によれば、ＣＤ−ＤＡディスクだけでなく、ＣＤ−ＲＯＭフォーマットのオーディオファイルが記録されたＣＤ−ＲＯＭディスクに対応して、音楽再生を行うことができ、しかも、著作権保護ディスクについても正常に再生できる。
【０１０２】
以上、実施の形態の例を説明してきたが、本発明は更に多様な変形例が考えられる。
実施の形態のオーディオプレーヤ１００は図１のようにアナログ信号又はデジタルデータとしての１倍速の再生オーディオ信号を出力できるものとした。これは本発明の光ディスク装置が、音楽専用プレーヤであることに基づく。換言すれば、著作権保護ディスクを再生することが許可されるべき装置であることを意味するものであるが、必ずしもオーディオプレーヤ１００がこのような出力形態のみとされるものではない。
機能的には、例えばＵＳＢなどの有線インターフェースや無線インターフェースなどを備えてパーソナルコンピュータ或いは他の機器とデータ通信可能とされていたとしても、著作権保護機能を備えるのであれば、本発明の再生方法を採用できるものである。例えば高速リッピングのための高速再生／伝送出力を行うことができないような装置であればよい。
また、場合によっては認証やユーザーの登録／課金、或いは著作権者側の意向などにより、高速リッピングのための高速再生／伝送が許可される場合も考えられる。従って、例えば機器認証、ユーザー認証など必要な手順を経た場合に、上記処理により著作権保護ディスクの再生が可能とされるようにしてもよい。
【０１０３】
本発明のプログラムは、オーディオプレーヤ１００等の再生装置において上記してきた再生方法の動作を実行させるためのプログラムである。該プログラムにより本発明の光ディスク装置を実現できるものである。
さらに、そのような本発明のプログラムが記録された本発明の記録媒体によれば、本発明を実現するプログラムの提供が容易となり、装置設計やシステム構築に好適である。該プログラムを記録する記録媒体は、ＣＤ方式、ＤＶＤ方式、ＭＤ方式の光ディスク、光磁気ディスクや、フレキシブルディスクのような磁気ディスク、さらにはＨＤＤ（ハードディスクドライブ）や、固体メモリを用いたメモリカードなどにより実現できる。
【０１０４】
【発明の効果】
以上の説明から理解されるように本発明の光ディスク装置、再生方法によれば、光ディスクの最内周に記録される管理データと隣接するデータ領域の先頭アドレスからオーディオデータが連続的に記録されているか否かを判別し、上記判別結果に応じて、上記光ディスクの最内周に記録される管理データの内容に関わらず上記データ領域の先頭アドレスにアクセスしてオーディオデータを再生するようにしているため、ＣＤ−ＲＯＭフォーマットのＭＰ３ファイル等の音楽ファイルの再生が可能であると共に、ＣＤ−ＲＯＭドライブ等で再生不能となる著作権保護ディスクであっても再生できる。つまり、音楽専用プレーヤとして、本来再生が許可されている著作権保護ディスクを再生できるため、ユーザーの使用性を悪化させないという効果が得られる。
【０１０５】
また、上記判別は、上記データ領域に記録されるデータ内の識別情報に基づいて行うことで正確に行うことができる。
また、上記管理データにマルチセッションディスク識別データが含まれるときに、上記データ領域に記録されるデータ内の識別情報による判別を行うことで、マルチセッション識別データを利用してＣＤ−ＲＯＭドライブで再生不能とする著作権保護ディスクに対して再生可能とすることができる。
また上記判別は、上記管理データの異常状態を検出して行う。例えば上記異常状態は、上記光ディスクの最内周に記録される管理データに含まれる、他の管理データのアドレスを検出し、当該管理データのアドレスと上記他の管理データのアドレスに基づいて検出するようにすることで、管理情報を異常状態としてＣＤ−ＲＯＭドライブで再生不能とする著作権保護ディスクに対して再生可能とすることができる。
【０１０６】
また本発明のプログラム、又はそのプログラムを記録した記録媒体によれば、上記の効果を実現する光ディスク装置を容易に実現することができる。
【図面の簡単な説明】
【図１】本発明の実施の形態のオーディオプレーヤのブロック図である。
【図２】ＣＤ方式のフレーム構造の説明図である。
【図３】ＣＤ方式のサブコーディングフレームの説明図である。
【図４】サブコードＱデータの説明図である。
【図５】ＣＤ方式のＴＯＣデータ内容の説明図である。
【図６】ＴＯＣ構造の説明図である。
【図７】実施の形態のオーディオプレーヤの処理［Ａ］の説明図である。
【図８】実施の形態のオーディオプレーヤの処理［Ａ］のフローチャートである。
【図９】実施の形態のオーディオプレーヤの処理［Ｂ］の説明図である。
【図１０】実施の形態のオーディオプレーヤの処理［Ｂ］のフローチャートである。
【図１１】実施の形態のオーディオプレーヤの処理［Ｃ］のフローチャートである。
【符号の説明】
１  ピックアップ、２  対物レンズ、６  スピンドルモータ、９  マトリクス回路、１０  システムコントローラ、１２  デコード部、２１  Ａ／Ｄ変換器
【図１】
0004052019.tif 000002
【図２】
0004052019.tif 000003
【図３】
0004052019.tif 000004
【図４】
0004052019.tif 000005
【図５】
0004052019.tif 000006
【図６】
0004052019.tif 000007
【図７】
0004052019.tif 000008
【図８】
0004052019.tif 000009
【図９】
0004052019.tif 000010
【図１０】
0004052019.tif 000011
【図１１】
0004052019.tif 000012